【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
遊技球が所定の領域を通過することにより遊技者が賞球を獲得可能な遊技機において、
始動口への遊技球の通過に基づいて特別遊技の開始に関わる補助遊技を行う第１の変動入賞装置と、遊技者が特別な賞球を獲得できる特別遊技を行う第２の変動入賞装置と、が左右方向に所定間隔を隔てて設けられ、
前記始動口は、前記空隙の鉛直方向略下方に配置され、
前記第１の変動入賞装置は、当該第１の変動入賞装置と前記第２の変動入賞装置との間の所定間隔の空隙内を流下する遊技球を当該第１の変動入賞装置内に導入するための第１の大入賞口を有し、
前記第２の変動入賞装置は、当該第２の変動入賞装置と前記第１の変動入賞装置との間の所定間隔の空隙内を流下する遊技球を当該第２の変動入賞装置内に導入するための第２の大入賞口を有し、
前記第１の変動入賞装置内に設けられた特定領域に遊技球が通過したことに基づいて、前記第２の変動入賞装置による特別遊技を行うことを特徴とする遊技機。
【請求項２】
前記所定間隔の空隙の鉛直方向略上方に、当該空隙に流下する遊技球の流下時間を変化させる浮遊時間変化装置を配設したことを特徴とする請求項１に記載の遊技機。
【請求項３】
前記第１の大入賞口及び前記第２の大入賞口は、開閉翼によって構成されることを特徴とする請求項１または請求項２に記載の遊技機。
【請求項４】
前記第１の大入賞口及び前記第２の大入賞口は、開閉扉によって構成されることを特徴とする請求項１または請求項２に記載の遊技機。
【請求項５】
前記所定間隔の空隙と前記浮遊時間変化装置との間に、複数の遊技釘を植設可能な領域を設けたことを特徴とする請求項１から請求項４の何れか一つに記載の遊技機。
【請求項６】
前記第２の変動入賞装置内に特定領域を設け、
前記始動口への遊技球の通過を契機として、前記第１又は第２の何れかの大入賞口及び変動入賞装置によって補助遊技を行うかを決定する振り分け手段と、
前記振り分け手段によって決定した大入賞口及び変動入賞装置によって補助遊技を行い、
該補助遊技の結果に基づいて、前記振り分け手段によって決定したのとは他方の大入賞口及び変動入賞装置によって特別遊技を行い、
さらに、前記第１の変動入賞装置と前記第２の変動入賞装置とは、特別遊技によって獲得される賞球数が異なることを特徴とする請求項１から請求項５の何れか一つに記載の遊技機。
【請求項７】
前記第１の変動入賞装置に流入した遊技球が特定領域を通過する割合と、第２の変動入賞装置に流入した遊技球が特定領域を通過する割合と、が異なるように、前記第１及び第２の変動入賞装置の内部構造をそれぞれ異ならせたことを特徴とする請求項６に記載の遊技機。
【手続補正２】
【補正対象書類名】明細書
【補正対象項目名】００１１
【補正方法】変更
【補正の内容】
【００１１】
第６の発明は、第１から５の発明において、前記第２の変動入賞装置内に特定領域を設け、前記始動口への遊技球の通過を契機として、前記第１又は第２の何れかの大入賞口及び変動入賞装置によって補助遊技を行うかを決定する振り分け手段と、前記振り分け手段によって決定した大入賞口及び変動入賞装置によって補助遊技を行い、該補助遊技の結果に基づいて、前記振り分け手段によって決定したのとは他方の大入賞口及び変動入賞装置によって特別遊技を行い、さらに、前記第１の変動入賞装置と前記第２の変動入賞装置とは、特別遊技によって獲得される賞球数が異なることを特徴とする。
【手続補正３】
【補正対象書類名】明細書
【補正対象項目名】００１２
【補正方法】変更
【補正の内容】
【００１２】
第７の発明は、第６の発明において、前記第１の変動入賞装置に流入した遊技球が特定領域を通過する割合と、第２の変動入賞装置に流入した遊技球が特定領域を通過する割合と、が異なるように、前記第１及び第２の変動入賞装置の内部構造をそれぞれ異ならせたことを特徴とする。
【手続補正４】
【補正対象書類名】明細書
【補正対象項目名】００１８
【補正方法】変更
【補正の内容】
【００１８】
第６の発明によると、前記第２の変動入賞装置内に特定領域を設け、前記始動口への遊技球の通過を契機として、前記第１又は第２の何れかの大入賞口及び変動入賞装置によって補助遊技を行うかを決定する振り分け手段と、前記振り分け手段によって決定した大入賞口及び変動入賞装置によって補助遊技を行い、該補助遊技の結果に基づいて、前記振り分け手段によって決定したのとは他方の大入賞口及び変動入賞装置によって特別遊技を行い、さらに、前記第１の変動入賞装置と前記第２の変動入賞装置とは、特別遊技によって獲得される賞球数が異なるので、変化に富んだ遊技を行わせることができ、遊技者の興趣を高めることができる。
【手続補正５】
【補正対象書類名】明細書
【補正対象項目名】００１９
【補正方法】変更
【補正の内容】
【００１９】
第７の発明によると、前記第１の変動入賞装置に流入した遊技球が特定領域を通過する割合と、第２の変動入賞装置に流入した遊技球が特定領域を通過する割合と、が異なるように、前記第１及び第２の変動入賞装置の内部構造をそれぞれ異ならせたので、各変動入賞装置における特定領域への遊技球の通過割合が異なるので、何れの変動入賞装置で補助遊技が行われるか（又は、何れの変動入賞装置で特別遊技が行われるか）で特別遊技の発生可能性や遊技価値（特別遊技の結果、遊技者が獲得できる遊技球数）が異なり、変化に富んだ遊技を行わせることができ、遊技者の興趣を高めることができる。
【手続補正６】
【補正対象書類名】明細書
【補正対象項目名】００７２
【補正方法】変更
【補正の内容】
【００７２】
ステップ４０６において、大入賞口１開放タイマがタイムアップしたと判定した場合は、ステップ４１１に移行し、有効期間フラグをセットし、大入賞口１開放フラグをリセットし、有効タイマをセットする。この有効タイマは、大入賞口１３が開状態の期間に、特定領域１１に遊技球が入賞しなかった場合にセットされ、大入賞口１３が閉状態となった後に変動入賞装置１０内に残っている遊技球が特定領域を通過するかを監視するための時間を制御するためのタイマである。次に、ステップ４１２において、有効タイマに設定された時間が経過したか（タイムアップしたか）否かを判定する。タイムアップしていないと判定した場合は、ステップ４１３において大入賞口１３ＳＯＬオフ情報をセットし、ステップ４０７に移行し、特定領域センサ１１Ａが遊技球を検知したか否かを判定する。ステップ４１２において有効タイマがタイムアップしたと判定した場合は、ステップ４１４において有効期間フラグをリセットした後、図６（ｂ）のフローチャートに戻る。
【手続補正７】
【補正対象書類名】明細書
【補正対象項目名】００９４
【補正方法】変更
【補正の内容】
【００９４】
大入賞口（開閉扉）１４及び２４は、それぞれが略四角形の平板な可動部材（可動片）、該可動部材を動作させるソレノイド、開口部等によって構成される。可動部材は下縁部を水平方向の軸で自由自在に支持されている。この可動部材は、ソレノイドによって、前方に傾斜することで開口部を開成する状態（開状態）、又は、可動部材をセンターケース５に略平行な状態に閉成することで開口部を閉成する状態（閉状態）とすることができる。大入賞口１４及び２４は、開状態では、上方から落下した遊技球を開口部を経て変動入賞装置に導入させることができ、閉状態では、上方から落下した遊技球に対して何ら作用せず、遊技球はそのまま下方へと落下する。
【手続補正８】
【補正対象書類名】明細書
【補正対象項目名】０１１９
【補正方法】変更
【補正の内容】
【０１１９】
基本的には、図８及び図９において説明した補助遊技処理と同じであるが、ステップ７０３において始動口４１〜４３に遊技球が入賞したと判定した場合に、補助遊技を行う変動入賞装置を割り当てるために、振り分け乱数生成処理（図１３のステップ６２１）において生成された乱数値を抽選するための振り分け処理を行う（ステップ７２１）。
【手続補正９】
【補正対象書類名】明細書
【補正対象項目名】０１２４
【補正方法】変更
【補正の内容】
【０１２４】
また、特定領域の通過を、次のラウンドの継続条件とし、変動入賞装置１０の内部構造を特定領域に遊技球が通過し易い構造とし、一方、変動入賞装置２０の内部構造を特定領域に遊技球が通過し難い構造とし、変動入賞装置１０による補助遊技は特定領域を通過し易く特別遊技（大当たり）が得られ易いが、変動入賞装置２０における特別遊技（大当たり）は利益が高いがラウンドの継続がし難いものとし、また、変動入賞装置２０による補助遊技は特定領域を通過し難く特別遊技となり難いが、変動入賞装置１０における特別遊技は価値は低いがラウンドの継続がし易くなるように設定してもよい。